(57)【要約】      （修正有）【課題】筆記機能及び接触式入力機能を兼備するタッチペンを提供すること。【解決手段】タッチペン１００は、軸方向に沿って中空部が設けられているスリーブ１０及び筆先アセンブリ２０を備える。筆先アセンブリ２０は、外面にフランジ２２４が設けられたペン軸部２２を備える。ペン軸部２２は、第一端と、第一端に連接される第一筆先部２４と、第一端の反対側に位置する第二端と、第二端から延出する第二筆先部２６２４と、を備える。第一端及び第二端の何れか一方が中空部の内部に収容された後、第一端及び第二端の何れか他方はスリーブ１０から延出する。中空部を形成する筒壁の内面には、複数の突起が設けられ、前記ペン軸部２２のフランジ２２４が中空部の相隣する２つの突起間に形成された凹溝内に係合されることによって、第一端或いは第二端は、スリーブ１０の内部に切り替えられるように固定される。【選択図】図１
0003185155.tif 000002
【実用新案登録請求の範囲】
【請求項１】
軸方向に沿って中空部が設けられているスリーブ及び筆先アセンブリを備えるタッチペンであって、
前記筆先アセンブリは、外面にフランジが設けられたペン軸部を備え、前記ペン軸部は、第一端と、前記第一端に連接される第一筆先部と、前記第一端の反対側に位置する第二端と、前記第二端から延出する第二筆先部と、を備え、
前記第一端及び前記第二端は、前記中空部の内部に切り替えられるように収容され、前記中空部を形成する筒壁の内面には、複数の突起が設けられ、前記ペン軸部のフランジが前記中空部の相隣する２つの突起間に形成された凹溝内に係合されることによって、前記第一端或いは前記第二端は前記スリーブの内部に固定されることを特徴とするタッチペン。
【請求項２】
前記スリーブには、前記中空部と連通する収容部がさらに設けられ、複数の前記突起は、前記収容部の内面に設けられ、
前記収容部の直径が前記中空部の直径より大きいので、前記収容部と前記中空部との連接部位には、止め壁が形成され、前記フランジが相隣する２つの突起間に形成された凹溝内に係合される際に、前記ペン軸部は前記止め壁に当止されることを特徴とする請求項１に記載のタッチペン。
【請求項３】
前記ペン軸部は、把持部をさらに備え、ユーザーは前記把持部を握って、前記筆先アセンブリを前記スリーブ内に装入するか、又は前記スリーブから前記筆先アセンブリを取り出し、前記フランジは、前記把持部の外周壁に設けられることを特徴とする請求項１又は請求項２に記載のタッチペン。
【請求項４】
前記ペン軸部は、ペン芯部をさらに備え、前記ペン軸部の前記第二端には、軸方向に沿って収容孔が設けられ、前記ペン芯部の一部は、前記収容孔を介して前記ペン軸部の内部に固定され、前記第二筆先部は、前記ペン芯部に連接され、且つ前記ペン軸部から延出されることを特徴とする請求項１から３の何れか一項に記載のタッチペン。
【請求項５】
前記第一筆先部は、タッチパネルに入力するために用いられ、前記第二筆先部は、筆記するために用いられることを特徴とする請求項１から３の何れか一項に記載のタッチペン。
【請求項６】
軸方向に沿って中空部が設けられているスリーブ、及び筆先アセンブリを備えるタッチペンであって、
前記筆先アセンブリは、外面にフランジが設けられたペン軸部を備え、前記ペン軸部は、第一端と、前記第一端に連接される第一筆先部と、前記第一端の反対側に位置する第二端と、前記第二端から延出する第二筆先部と、を備え、
前記第一端及び前記第二端の何れか一方が前記中空部の内部に収容された後、前記第一端及び前記第二端の何れか他方は前記スリーブから延出し、
前記中空部を形成する筒壁の内面には、複数の突起が設けられ、前記ペン軸部のフランジが前記中空部の相隣する２つの突起間に形成された凹溝内に係合されることによって、前記第一端或いは前記第二端は、前記スリーブの内部に切り替えられるように固定されることを特徴とするタッチペン。
【考案の詳細な説明】
【技術分野】
【０００１】
本考案は、タッチペンに関し、特に多機能を備えたタッチペンに関するものである。
【背景技術】
【０００２】
従来の電子装置のタッチペンは、単純な接触式入力機能しか備えていないため、紙等に書くことができない。従って、外出の際に電話番号及びアドレス等の情報を記録したい場合、筆記用のペンをさらに携帯する必要がある。よって、携帯する物品の数が増えるため、使用者の負担も増える。
【考案の概要】
【考案が解決しようとする課題】
【０００３】
そこで、本考案は、以上の問題点に鑑みてなされたものであり、筆記機能及び接触式入力機能を兼備するタッチペンを提供することを目的とする。
【課題を解決するための手段】
【０００４】
前記問題を解決するために、本考案に係るタッチペンは、軸方向に沿って中空部が設けられているスリーブ及び筆先アセンブリを備える。前記筆先アセンブリは、外面にフランジが設けられたペン軸部を備え、前記ペン軸部は、第一端と、前記第一端に連接される第一筆先部と、前記第一端の反対側に位置する第二端と、前記第二端から延出する第二筆先部と、を備え、前記第一端及び前記第二端の何れか一方が前記中空部の内部に収容された後、前記第一端及び前記第二端の何れか他方は前記スリーブから延出し、前記中空部を形成する筒壁の内面には、複数の突起が設けられ、前記ペン軸部のフランジが前記中空部の相隣する２つの突起間に形成された凹溝内に係合されることによって、前記第一端或いは前記第二端は、前記スリーブの内部に切り替えられるように固定される。
【考案の効果】
【０００５】
本考案によれば、筆先アセンブリの第一筆先部に近い側の一部のペン軸部がスリーブ内に挿入固定されると、タッチペンの筆記機能を使用できる。また、筆先アセンブリの第二筆先部に近い側の一部のペン軸部がスリーブ内に挿入されると、タッチペンの接触式入力機能を使用できる。前記タッチペンの筆記機能及び接触式入力機能を切り替える場合、前記筆先アセンブリの前記スリーブに嵌合された一端を前記スリーブから抜き出した後、前記筆先アセンブリの向きを変えて、その他端の固定部を前記スリーブ内に嵌合すれば良い。従って、本考案のタッチペンは、筆記機能及び接触式入力機能を兼備し、且つこの２つの機能を容易に切り替えて使用することができる。
【図面の簡単な説明】
【０００６】
【図１】本考案に係るタッチペンの分解図である。
【図２】図１に示したタッチペンの一部の組立図である。
【図３】図１に示したタッチペンの全体の組立図である。
【図４】図３に示したタッチペンの他の使用状態を示す図である。
【図５】図４に示したタッチペンのＶ−Ｖ線に沿った断面図である。
【考案を実施するための形態】
【０００７】
図１に示すように、本考案に係るタッチペン１００は、中空のスリーブ１０及び筆先アセンブリ２０を備える。筆先アセンブリ２０は、ペン軸部２２と、ペン軸部２２の一端から延伸してなる第一筆先部２４と、ペン軸部２２の他端に固定される第二筆先ユニット２６と、を備える。
【０００８】
図５を併せて参照すると、スリーブ１０は、一端が開口しており、且つ軸方向に沿って収容部１４及びこの収容部１４と連通する中空部１２が順次に設けられている。収容部１４の直径は、中空部１２の直径より大きい。収容部１４と中空部１２との連接部位には、止め壁１６が形成されている。中空部１２は、ペン軸部２２の一部及び第一筆先部２４或いは第二筆先ユニット２６を収容することに用いられる。収容部１４は、ペン軸部２２を収容することに用いられる。収容部１４の筒壁の内面には、ペン軸部２２を挟持固定するための複数の突起１４２がさらに設けられている。相隣する２つの突起１４２の間には、凹溝（図示せず）が形成されている。
【０００９】
ペン軸部２２は、ほぼ階段状の棒材であり、且つ把持部２２２と、把持部２２２に連接される連接部２２３と、を備える。把持部２２２の外周面には、フランジ２２４が設けられている。フランジ２２４とスリーブ１０の筒壁の複数の突起１４２間の凹溝とが互いに係合することによって、ペン軸部２２はスリーブ１０の内部に固定される。把持部２２２の直径は連接部２２３の直径より大きいので、把持部２２２と連接部２２３との連接部位には階段部２２５が形成される。第一筆先部２４は、連接部２２３の把持部２２２から離れる側の一端に連接される。ペン軸部２２における第一筆先部２４とは反対側の一端には、収容孔２２６が設けられている。第二筆先ユニット２６の一部は、この収容孔２２６を介してペン軸部２２内に収納される。ユーザーは前記把持部２２２を握って、前記筆先アセンブリ２０を前記スリーブ１０内に装入するか、又は前記スリーブ１０から前記筆先アセンブリ２０を取り出す。
【００１０】
第一筆先部２４は、ペン軸部２２と一体に成形され、且つ電子装置のタッチパネルに接触することで、入力機能を実現する。また、第二筆先ユニット２６は、ペン芯部２６２及びキャップ２６４を備える。前記ペン芯部２６２は、筒状部２６２２と、筒状部２６２２の一端に設けられた第二筆先部２６２４と、を備える。第二筆先部２６２４は、紙等に書くために用いられる。キャップ２６４は、第二筆先部２６２４を取り囲むように設けられる。筒状部２６２２がペン軸部２２内に収納された後、筒状部２６２２の第二筆先部２６２４の反対側の一端は、収容孔２２６を形成する底壁に当止され（図５を参照）、第二筆先部２６２４は収容孔２２６から延出する。この際、キャップ２６４をペン軸部２２の収容孔２２６内に嵌合させると、第二筆先部２６２４はキャップ２６４の先端から露出する。しかも、把持部２２２の直径はキャップ２６４の直径より大きいので、把持部２２２とキャップ２６４との連接部位には階段部２２７（図２を参照）が形成される。本実施形態において、筒状部２６２２は、ねじ山を介してペン軸部２２の収容孔２２６内に螺着される。第二筆先部２６２４は、ボールペン等の筆先であり、筒状部２６２２内には、筆記用インクが貯蔵されている。
【００１１】
図１乃至図３に示すように、タッチペン１００を組み立てる場合、まず、収容孔２２６を介して、ペン芯部２６２の筒状部２６２２をペン軸部２２内に部分的に収納固定する。この際、ペン芯部２６２の第二筆先部２６２４は、ペン軸部２２の収容孔２２６から延出される。次に、第二筆先部２６２４をキャップ２６４に貫通させるように、キャップ２６４をペン軸部２２の、第一筆先部２４とは反対側の一端に嵌合させる。この際、第二筆先部２６２４は、キャップ２６４の先端から露出する。以上により、筆先アセンブリ２０は一体に組み立てられる（図２を参照）。最後に、ペン軸部２２の階段部２２５を収容部１４内の止め壁１６に当止させ、且つペン軸部２２のフランジ２２４が収容部１４の筒壁の突起１４２を越えて相隣する２つの突起１４２の間の凹溝内に係合されるまで、前記一体に組み立てられた筆先アセンブリ２０の第一筆先部２４をスリーブ１０の収容部１４内に挿入嵌合する。これにより、タッチペン１００の組み立ては完了する。
【００１２】
図４及び図５に示すように、タッチペン１００の接触式入力機能を使用する場合、筆先アセンブリ２０をスリーブ１０から抜き出した後、筆先アセンブリ２０の第二筆先ユニット２６が設けられた一端を、スリーブ１０の中空部１２内に挿入嵌合して、ペン軸部２２の第二筆先部２６２４に近い側の階段部２２７を収容部１４内の止め壁１６に当止させ、且つペン軸部２２のフランジ２２４を収容部１４内の相隣する突起１４２間に形成された凹溝内に係合させる。これにより、ユーザーは、第一筆先部２４を介して電子装置のタッチパネルに入力することができる。
【００１３】
また、図２及び図３に示すように、タッチペン１００の筆記機能を使用する場合、筆先アセンブリ２０をスリーブ１０から抜き出した後、筆先アセンブリ２０の第一筆先部２４が設けられた一端をスリーブ１０の収容部１２内に挿入嵌合して、ペン軸部２２の連接部２２３に近い側の階段部２２５を収容部１４内の止め壁１６に当止させ、且つペン軸部２２のフランジ２２４を収容部１４内の相隣する突起１４２間に形成された凹溝内に係合させる。これにより、ユーザーは第二筆先部２６２４を介して紙等に書くことができる。
【００１４】
また、キャップ２６４は、主にペン芯部２６２をペン軸部２２内に止める役割を果たしているが、ペン芯部２６２の筒状部２６２２をペン軸部２２に直接、固定することができるのであれば、キャップ２６４は省略しても良い。
【００１５】
また、第二筆先部２６２４は、ボールペンの筆先に限定されるものではなく、鉛筆等の他の書くことができる筆先とすることも可能である。
【００１６】
本考案のタッチペン１００を使用する過程において、筆先アセンブリ２０の第一筆先部２４をスリーブ１０内に挿入することにより、タッチペン１００の筆記機能を使用できる。また、筆先アセンブリ２０の第二筆先部２６２４をスリーブ１０内に挿入することにより、タッチペン１００の接触式入力機能を使用できる。タッチペン１００の筆記機能と接触式入力機能とを切り替える場合、筆先アセンブリ２０のスリーブ１０内に嵌合される一端を抜き出した後、筆先アセンブリ２０の向きを変えてその他端を前記スリーブ１０内に嵌合すれば良い。
【００１７】
以上、本考案の好適な実施形態について詳細に説明したが、本考案は前記実施形態に限定されるものではなく、本考案の範囲内で種々の変形又は修正が可能であり、該変形又は修正もまた、本考案の特許請求の範囲内に含まれるものであることは言うまでもない。
【符号の説明】
【００１８】
１０      スリーブ
１２      中空部
１４      収容部
２０      筆先アセンブリ
２２      ペン軸部
２４      第一筆先部
２６      第二筆先ユニット
１００    タッチペン
１４２    突起
２２２    把持部
２２３    連接部
２２４    フランジ
２２５    階段部
２２６    収容孔
２２７    階段部
２６２    ペン芯部
２６４    キャップ
２６２２  筒状部
２６２４  第二筆先部
【図１】
0003185155.tif 000003
【図２】
0003185155.tif 000004
【図３】
0003185155.tif 000005
【図４】
0003185155.tif 000006
【図５】
0003185155.tif 000007